(57)【要約】【課題】交流の１サイクルのうちの半サイクル期間で駆動される半導体発光器の発光のちらつきを緩和することが可能な発光装置を備えた電気掃除機を提供する。【解決手段】電気掃除機は電源装置と発光装置11を備える。電源装置は、ツェナーダイオードと半波整流用ダイオードと抵抗からなるとともに商用交流電源の両極間に接続される直列回路、及びツェナーダイオードに並列接続された平滑用コンデンサを有する。発光装置11は、半波整流出力で発光されるＬＥＤ（半導体発光器）14、及びこのＬＥＤが発した光が透過する光出射部12を有する。交流の半サイクル期間中に半波整流用ダイオードに印加される順方向電圧によりＬＥＤ14が発光した時に、このＬＥＤ14が発した光の一部を吸収するとともに、吸収した光を半波整流用ダイオードに反順方向電圧が印加される交流の残りの半サイクル期間中に放出して光出射部12を照らす蓄光層（蓄光手段）16.17を、発光装置11が有していることを特徴としている。【選択図】図３
2013066619.tif 000002
【特許請求の範囲】
【請求項１】
ツェナーダイオードと半波整流用ダイオードと抵抗とからなるとともに商用交流電源の両極間に接続される直列回路、及び前記ツェナーダイオードに並列接続された平滑用コンデンサを有する電源装置と、前記直列回路の半波整流出力で発光される半導体発光器及びこの発光器が発した光が透過する光出射部を有する発光装置と、を備える電気掃除機において、
交流の半サイクル期間中に前記半波整流用ダイオードに印加される順方向電圧により前記半導体発光器が発光した時に、この発光器が発した光の一部を吸収するとともに、吸収した光を前記半波整流用ダイオードに反順方向電圧が印加される交流の残りの半サイクル期間中に放出して前記光出射部を照らす蓄光手段を、前記発光装置が有していることを特徴とする電気掃除機。
【請求項２】
前記光出射部を外部から視認可能に露出させて前記発光装置が掃除機本体に配設されていて、集塵部の塵捨て時期を検知する塵捨て検知スイッチの検知に基づき前記半導体発光器が発光されることを特徴とする請求項１に記載の電気掃除機。
【請求項３】
掃除機本体と、
集塵部に連通して前記掃除機本体に接続された吸塵ホースと、
このホースの先端に接続された延長管と、
この延長管の先端に着脱可能に接続された吸込み口体と、
ツェナーダイオードと半波整流用ダイオードと抵抗とからなるとともに商用交流電源の両極間に接続される直列回路、及び前記ツェナーダイオードに並列接続された平滑用コンデンサを有する電源装置と、
前記直列回路の半波整流出力で発光される半導体発光器及びこの発光器が発した光が透過する光出射部を有する発光装置により形成されて、前記延長管の先端部に配設された投光器と、
を具備する電気掃除機において、
交流の半サイクル期間中に前記半波整流用ダイオードに印加される順方向電圧により前記半導体発光器が発光した時に、この発光器が発した光の一部を吸収するとともに、吸収した光を前記半波整流用ダイオードに反順方向電圧が印加される交流の残りの半サイクル期間中に放出して前記光出射部を照らす蓄光手段を、前記投光器をなした前記発光装置が有していることを特徴とする電気掃除機。
【請求項４】
前記発光装置が、前記光出射部と一体に形成された導光部材と、前記半導体発光器を内側に収容して配置された包囲部材とを、更に備えていて、前記導光部材の周面と前記包囲部材の内周面とのうちの少なくとも一方が、前記蓄光手段をなす蓄光層で覆われていることを特徴とする請求項１から３のうちのいずれか一項に記載の電気掃除機。
【発明の詳細な説明】
【技術分野】
【０００１】
本発明の実施形態は、発光装置を備える電気掃除機に関する。
【背景技術】
【０００２】
従来、集塵部に溜められた塵の量が塵捨て時期に達したことを表示するための発光装置を備えた電気掃除機が知られており、又、延長管の先端部に配設された発光装置からなる投光器で、延長管の先端開口が近付けられた被掃除面(床面)を照明可能な電気掃除機が知られている。
【０００３】
これら電気掃除機が備える発光装置の光源としては半導体発光器の一種であるＬＥＤ(発光ダイオード)が一般的に使用されている。このＬＥＤから発した光は発光装置の光出射部を透過して外部に出射され、それにより、塵捨て時期の表示や床面照明が行われる。
【０００４】
又、ＬＥＤを駆動する電源装置のコストを低下させる上で、半波整流用ダイオードの使用数を１個とした電源装置が使用されている。この電源装置は商用交流電源の両極間に接続された直列回路と平滑用コンデンサを有している。直列回路は、ツェナーダイオードと半波整流用ダイオードと抵抗とからなり、平滑用コンデンサはツェナーダイオードに並列接続されている。そして、限流抵抗とこれに直列なＬＥＤの駆動回路が平滑用コンデンサの両極間に接続されていて、ＬＥＤの駆動回路への通電は、マイクロコンピュータによりＯＮ−ＯＦＦされるスイッチングトランジスタを介して制御されるようになっている。
【０００５】
こうした電気回路でＬＥＤが発光される場合、半波整流用ダイオードの半波整流作用により、交流の１サイクルのうちの半サイクル期間でＬＥＤへの給電が行われてＬＥＤが発光される。又、交流の１サイクルのうちの残りの半サイクル期間では、平滑用コンデンサに蓄えられている電荷が放出されてＬＥＤへの通電がなされる。しかし、ＬＥＤの発光による電力消費で平滑用コンデンサの電荷は急速に消費されるので、前記残りの半サイクル期間でのＬＥＤに対する印加電圧は急速に低下し、それに伴い、ＬＥＤの発光輝度も急速に低下する。
【０００６】
以上の電源回路により交流を半波整流してＬＥＤに給電する構成では、ＬＥＤの発光がちらつく。こうしたちらつきは、塵捨て時期を表示する上でも、床面照明をする上でも好ましくなく、その改善が望まれている。
【先行技術文献】
【特許文献】
【０００７】
【特許文献１】特開２００５−１６０９７０号公報
【発明の概要】
【発明が解決しようとする課題】
【０００８】
実施形態は、交流の１サイクルのうちの半サイクル期間で駆動される半導体発光器の発光のちらつきを緩和することが可能な発光装置を備えた電気掃除機を提供することにある。
【課題を解決するための手段】
【０００９】
前記課題を解決するために、実施形態の電気掃除機は、電源装置と発光装置を備える。電源装置は、ツェナーダイオードと半波整流用ダイオードと抵抗からなるとともに商用交流電源の両極間に接続される直列回路、及びツェナーダイオードに並列接続された平滑用コンデンサを有する。発光装置は、直列回路の半波整流出力で発光される半導体発光器、及びこの発光器が発した光が透過する光出射部を有する。交流の半サイクル期間中に半波整流用ダイオードに印加される順方向電圧により半導体発光器が発光した時に、この発光器から発した光の一部を吸収するとともに、吸収した光を半波整流用ダイオードに反順方向電圧が印加される交流の残りの半サイクル期間中に放出して光出射部を照らす蓄光手段を、発光装置が有していることを特徴としている。
【図面の簡単な説明】
【００１０】
【図１】第１実施形態に係る電気掃除機の掃除機本体を示す斜視図である。
【図２】図１の電気掃除機が備える発光装置を示す断面図である。
【図３】図１の電気掃除機の電気回路の構成を示す結線図である。
【図４】第２実施形態に係る電気掃除機が備える発光装置を示す断面図である。
【図５】第３実施形態に係る電気掃除機が備える発光装置を示す断面図である。
【図６】第４実施形態に係る電気掃除機が備える発光装置を示す断面図である。
【図７】第５実施形態に係る電気掃除機を示す斜視図である。
【発明を実施するための形態】
【００１１】
以下、第１実施形態の電気掃除機について、図１〜図３を参照して詳細に説明する。
【００１２】
図１は例えばキャニスタ型の電気掃除機が備える掃除機本体を示している。掃除機本体１の後部両側部の夫々に車輪２（一方のみ図示）が取付けられているとともに、掃除機本体１の前部下面に図示しないキャスタが取付けられていて、これら車輪２及びキャスタの回転により、掃除機本体１は建物の被掃除面である床面上を移動可能である。
【００１３】
掃除機本体１の前部に、集塵室（図示しない）が形成されているとともに、この集塵室の上面開口を開閉する本体蓋３が取付けられている。本体蓋３が閉じた状態で、この本体蓋３と集塵室の上面開口との間の気密は、本体蓋３に取付けられて前記上面開口の縁に密接する図示しない環形シール材で保持されるようになっている。
【００１４】
掃除機本体１にはその前面に開口された吸塵口４が設けられている。この吸塵口４は集塵室に連通されている。吸塵口４にはその前方から図示しない吸塵ホースの基端部が差し込んで接続される。尚、吸塵ホースの先端部には図示しない延長管が着脱可能に接続され、この延長管の先端には図示しない床用等の吸込み口体が着脱可能に接続される。電気掃除機の運転時に、これらの吸塵用の部材を通して被掃除面である床面の塵が集塵室に吸い込まれるようになっている。
【００１５】
集塵部として機能する集塵袋５がその入口を吸塵口４に連通させて集塵室に収容されている。本体蓋３の後縁部を中心にこの本体蓋３を上側に回動させて集塵室の上面開口を開放させた状態で、この上面開口を通して集塵袋５は集塵室に出し入れ可能である。
【００１６】
掃除機本体１の後部に、運転された状態で集塵室に負圧を発生させる電動送風機６と、これに電源を供給するためのコードリール装置（図１では図示しないが、図３中符号１０で示す。）が内蔵されている。尚、図１中符号７は電源コードを示し、符号８は電源プラグを示しており、電源コード７は、その使用時にコードリール装置１０のコードリールから繰り出され、非使用時にコードリールに巻き取られる。更に、図１中符号９は巻取りボタンを示しており、この巻取りボタン９が押込み操作されることによって、コードリールに電源コード７が自動的に巻き取られるようになっている。
【００１７】
図２に示す発光装置１１が掃除機本体１に取付けられている。発光装置１１は、例えば表示部として用いられる光出射部１２を一体に有した導光部材１３と、半導体発光器例えばＬＥＤ１４と、包囲部材１５と、蓄光手段例えば蓄光層１６，１７を備えている。
【００１８】
導光部材１３は、透光性材料例えば透明な合成樹脂を略円柱状に成形してなる部品であり、その一端部に光出射部１２が一体に形成され、他端部に受光溝１３ａが形成されている。光出射部１２は導光部材１３の周面から張り出す環状のフランジを有している。受光溝１３ａは導光部材１３の他端面に開放している。
【００１９】
導光部材１３はその光出射部１２が上端部となるように配設されている。例えば掃除機本体１の後部天井壁の上面に形成された取付け凹部１ａに、光出射部１２の前記フランジを嵌めて接着することによって、導光部材１３が掃除機本体１に取付けられている。これにより、光出射部１２は、掃除機本体１の外部から使用者により視認可能となるように掃除機本体１の後部上面に露出して配設されている。又、光出射部１２は、前記巻取りボタン９を押込み操作する際の視野範囲、具体的には、巻取りボタン９の近くに設けられている。
【００２０】
ＬＥＤ１４は掃除機本体１の後部内側に配設された回路基板１８に取付けられている。ＬＥＤ１４には、例えば砲弾型ＬＥＤが使用されているが、これに代えて、ＳＭＤ型又はＣＯＢ型のＬＥＤを用いることも可能である。このＬＥＤ１４から放射される光は、赤色光、青色光、緑色光等の非白色の有色光であることが好ましい。
【００２１】
砲弾形状に構成されたＬＥＤ１４の先端部は導光部材１３の受光溝１３ａに挿入されている。これにより、掃除機本体１の後部天井壁と回路基板１８との間の距離が短くなり、発光装置１１の配設スペースを小さくすることが可能である。尚、導光部材１３に受光溝１３ａを設けない場合には、導光部材１３の下端面(裏面)にＬＥＤ１４の先端を近接対向させてＬＥＤ１４を配設すれば良い。
【００２２】
包囲部材１５は、導光部材１３より大径の略円筒状に形成されていて、ＬＥＤ１４の周面を囲んで回路基板１８に接着などにより取付けられている。包囲部材１５の内周は、回路基板１８から離れるほど大径となるテーパ面で形成されている。
【００２３】
蓄光層１６，１７は、ＬＥＤ１４の発光時にこのＬＥＤ１４から発した光の一部を吸収するとともに吸収した光をＬＥＤ１４の輝度低下時ないしは非発光時に放出して光出射部１２を照らすために用いられている。蓄光層１６は導光部材１３の外周面に設けられ、蓄光層１７は包囲部材１５の内周面に設けられている。これら蓄光層１６，１７は、放射線物質等の有害物質を含んでいない蓄光材例えばアルミナ系酸化物を主成分とした蓄光材からなる。これとともに、これら蓄光層１６，１７が放つ燐光はＬＥＤ１４が放つ発光色と同じであることが好ましい
蓄光層１６は、図２に示すように蓄光塗料を導光部材１３の周面に塗布することによって設けることが好ましいが、スリーブ状に形成して導光部材１３の外周面に巻き付くように配設することも可能である。このように導光部材１３の周面を囲むように蓄光層１６を設けた構成では、蓄光材の粒子を混ぜて成形された導光部材からなる蓄光手段と比較して、導光部材１３の導光性能が低下しない点で好ましい。
【００２４】
同様に、蓄光層１７も、蓄光塗料を包囲部材１５の内周面に塗布することによって設けることが好ましいが、包囲部材１５の内周面の形状に合致させた筒状に形成して、それを包囲部材１５の内周面に接着して設けることも可能である。
【００２５】
電気掃除機の電気回路は図３に示すように構成されている。電源スイッチ２１がオンされると、商用交流電源の交流電圧（例えば１００Ｖ）が、ツェナーダイオード２２、半波整流用ダイオード２３、限流用の抵抗２４，２５からなる直列回路２６の両端間に印加される。このため、交流電圧が、半波整流用ダイオード２３の順方向で、かつ、ツェナーダイオード２２のツェナー電圧以上に上昇したときに、直列回路２６に電流が流れてツェナーダイオード２２の両極間にツェナー電圧（例えば５Ｖ）が発生する。この電圧発生期間は、交流の１サイクルのうちの半サイクル期間である。
【００２６】
直列回路２６のツェナーダイオード２２には平滑用コンデンサ２７が並列接続されていて、この平滑用コンデンサ２７と直列回路２６とによって電源装置２８が構成されている。平滑用コンデンサ２７は、交流の１サイクルのうちの半サイクル期間に発生するツェナー電圧の一部を蓄え、こうして充電された平滑用コンデンサ２７の電荷は、前記１サイクルのうちの残りの半サイクル期間で放出される。
【００２７】
電気掃除機の運転全般の制御を担うマイクロコンピュータ２９は、電源装置２８の出力で駆動される。このマイクロコンピュータ２９は、例えば前記図示しない吸塵ホースの手元操作部に設けられたスイッチの操作により抵抗値を変えられる可変抵抗器３０で指定された抵抗値に応じて、駆動用トランジスタ３１を繰り返しオン・オフさせて、交流が印加される電動送風機６に直列接続されたトライアック３２を位相制御する。それにより、電動送風機６の回転速度が変化され吸塵力が調節されるようになっている。
【００２８】
又、前記平滑用コンデンサ２７の両極間に、限流抵抗３５と、ＬＥＤ１４と、スイッチングトランジスタ３６とを直列接続してなる表示回路が接続されている。限流抵抗３５はＬＥＤ１４の発光中においてマイクロコンピュータ２９の動作電圧を保証するために設けられている。
【００２９】
これとともに、平滑用コンデンサ２７の両極間に塵捨て検知スイッチ３７が接続されている。塵捨て検知スイッチ３７は圧力スイッチからなる。この塵捨て検知スイッチ３７は、掃除機本体１の前記集塵室の圧力を検出するもので、集塵室の圧力が所定の負圧になるまではオフ状態を保持し、集塵室の圧力が所定の負圧以下に低下するとそれ以降オン状態に切換わって、集塵部である前記集塵袋５が塵捨て時期に達したことを検知するために、掃除機本体１に設けられている。
【００３０】
電気掃除機の運転により集塵袋５に集塵される塵の量が増えて集塵室の負圧が所定圧力以下に低下して、塵捨て検知スイッチ３７がオンされた場合、このオン信号が入力されるマイクロコンピュータ２９はスイッチングトランジスタ３６をオンさせるので、表示回路に電源装置２８の出力が供給されて、ＬＥＤ１４が発光する。これにより、導光部材１３が有した光出射部１２をＬＥＤ１４の光が透過し掃除機本体１外に出射されるので、集塵袋５が塵捨て時期に達したことを報知できる。
【００３１】
この場合、交流の１サイクルの半サイクル期間では直列回路２６の半波整流出力がＬＥＤ１４等に供給され、引き続く残りの半サイクル期間においては、平滑用コンデンサ２７の電荷がＬＥＤ１４等に放出(供給)される。しかし、ＬＥＤ１４が発光すると、この発光に従い平滑用コンデンサ２７の電荷は急速に消費され、それに伴いＬＥＤ１４に印加される電圧も急速に低下する。このため、交流の半サイクル期間毎にＬＥＤ１４の発光強度が異なって、ＬＥＤ１４の発光自体はちらつく。しかし、こうしたちらつきは以下の理由により緩和できる。
【００３２】
即ち、交流電圧が半波整流用ダイオード２３の順方向期間にあるとき、つまり、交流の１サイクルのうちの半サイクル期間では、ＬＥＤ１４の発光強度が強い。このとき、ＬＥＤ１４の周囲に放射された光のうちの一部が、包囲部材１５の内周に入射されるので、蓄光層１７は入射した光エネルギーを吸収する。同様に、ＬＥＤ１４の光を導く導光部材１３に入射して光出射部１２に導かれる光のうちの一部が、導光部材１３の周面に塗布された蓄光層１６に入射されるので、蓄光層１６は入射した光エネルギーを吸収する。
【００３３】
そして、半波整流用ダイオード２３に反順方向電圧が印加される交流の１サイクルのうちの残りの半サイクル期間では、ＬＥＤ１４の発光強度が急速に低下するが、このとき、蓄光層１６，１７はそれらが吸収した光を放出する。つまり、前記交流の残りの半サイクル期間中に蓄光層１６，１７が発光される。これら蓄光層１６，１７が発した光(燐光)は、導光部材１３を通って、更にその光出射部１２を透過する。
【００３４】
このため、光出射部１２が燐光により照明され、交流の半サイクル期間ごとに光出射部１２の明るさが変化することが抑制される。したがって、集塵袋５が塵捨て時期に達したことを報知する光表示のちらつきを緩和できる。
【００３５】
又、発光装置１１が発光された状態のまま掃除を継続し、その後に電源スイッチ２１をオフした上で電気掃除機を格納する場合、発光装置１１のＬＥＤ１４は当然に消灯されるが、この消灯から所定時間の間、発光装置１１の蓄光層１６，１７は発光を継続する。このため、使用者が電源コード７をコードリール装置１０に巻取り操作するときに、使用者は、蓄光層１６，１７の発光により照らされた光出射部１２を視認でき、それにより、集塵袋５が塵捨て時期に達していることを知ることが可能である。しかも、以上のように蓄光層１６，１７の発光(燐光)を利用するので、光出射部１２を照らすためにバッテリー等の電源を掃除機本体１に搭載する必要がない。
【００３６】
図４〜図６は第２実施形態〜第４実施形態を示している。これらの実施形態は以下説明する事項が第１実施形態とは相違しており、それ以外の構成は図示されない構成を含めて第１実施形態と同じであるため、第１実施形態と同一ないしは同様の機能を奏する構成については、第１実施形態と同じ符号を付してその説明を省略する。
【００３７】
図４に示した第２実施形態の電気掃除機では、発光装置１１が備えた包囲部材１５全体を蓄光材で形成した点、つまり、包囲部材１５を蓄光手段とした構成が第１実施形態とは異なり、これ以外の構成は図示されない構成を含めて第１実施形態と同じである。
【００３８】
したがって、この第２実施形態においても、前記課題が解決されて、交流の１サイクルのうちの半サイクル期間で駆動されるＬＥＤ１４の発光のちらつきを緩和することが可能な発光装置１１を備えた電気掃除機を提供できる。
【００３９】
尚、この第２実施形態の構成で、包囲部材１５全体を蓄光材で形成することに代えて、白色顔料を混ぜた合成樹脂で包囲部材１５を形成して、この包囲部材１５を反射器として用いることも可能である。この構成では、燐光発生部が導光部材１３の周面に被着された蓄光層１６のみとなるが、この蓄光層１６を備えることによって、前記課題を解決可能である。
【００４０】
図５に示した第３実施形態の電気掃除機では、第１実施形態で説明した蓄光層１６を省略する代わりに、包囲部材１５が、ＬＥＤ１４だけではなく導光部材１３も包囲するように掃除機本体１の後部天井壁と回路基板１８とで挟まれる長さを有していて、その内周面全体に蓄光層１７を設けて、この蓄光層１７の燐光が導光部材１３にその周囲から波及して光出射部１２を透過するようにした構成が、第１実施形態とは異なり、これ以外の構成は図示されない構成を含めて第１実施形態と同じである。
【００４１】
したがって、この第３実施形態においても、前記課題が解決されて、交流の１サイクルのうちの半サイクル期間で駆動されるＬＥＤ１４の発光のちらつきを緩和することが可能な発光装置１１を備えた電気掃除機を提供できる。
【００４２】
図６に示した第４実施形態の電気掃除機では、第１実施形態で説明した導光部材１３を省略して、光学窓をなす光出射部１２を掃除機本体１の後部天井壁に接着止めするとともに、この裏面に対向してＬＥＤ１４を配設してある。更に、包囲部材１５が、掃除機本体１の後部天井壁と回路基板１８とで挟まれる長さを有していて、その内周面全体に蓄光層１７を設けて、この蓄光層１７の燐光が光出射部１２に直接に透過するようにした構成が、第１実施形態とは異なり、これ以外の構成は図示されない構成を含めて第１実施形態と同じである。尚、包囲部材１５の内周面はテーパ面であってもなくても良い。
【００４３】
したがって、この第４実施形態においても、前記課題が解決されて、交流の１サイクルのうちの半サイクル期間で駆動されるＬＥＤ１４の発光のちらつきを緩和することが可能な発光装置１１を備えた電気掃除機を提供できる。
【００４４】
図７は第５実施形態を示している。この第５実施形態は以下説明する事項が第１実施形態とは相違しており、それ以外の構成は図示されない構成を含めて第１実施形態と同じであるため、第１実施形態と同一ないしは同様の機能を奏する構成については、第１実施形態と同じ符号を付してその説明を省略する。
【００４５】
第５実施形態の電気掃除機では、掃除機本体１に集塵部として例えばサイクロン式の集塵をなす集塵カップ４１が着脱可能に取付けられている。この集塵カップ４１は、掃除機本体１の前面に開口された吸塵口４に連通されている。吸塵口４にはその前方から吸塵ホース４２の基端部４２ａが差し込んで接続されている。この吸塵ホース４２の先端部にはハンドル部４３が形成されている。更に、吸塵ホース４２の先端部には延長管４４が着脱可能に接続されている。この延長管４４の先端には床用等の吸込み口体４５が着脱可能に接続されている。電気掃除機の運転時、これら吸込み口体４５、延長管４４、及び吸塵ホース４２を通して被掃除面である床面の塵が集塵カップ４１に吸い込まれるようになっている。
【００４６】
延長管４４の先端部上面に投光器４６が配設されている。吸込み口体４５を延長管４４から外した状態で、この延長管４４の先端開口を通して吸塵をする際、投光器４６が点灯されると、この投光器４６の光出射部１２から出射された光で延長管４４の先端開口の近傍の床面が照明されるようになっている。
【００４７】
投光器４６の構成は、第１実施形態〜第４実施形態で説明した発光装置のいずれかと同じ構成であるので、ここでは説明を省略する。
【００４８】
第５実施形態の電気掃除機は、以上説明した事項以外の構成は図示されない構成を含めて第１実施形態と同じである。したがって、この第５実施形態においても、前記課題が解決されて、交流の１サイクルのうちの半サイクル期間で駆動される発光装置からなる投光器４６が有したＬＥＤの発光のちらつきを緩和でき、それに伴い、床面照明のちらつきを緩和することが可能な発光装置を備えた電気掃除機を提供できる。
【符号の説明】
【００４９】
１…掃除機本体、５…集塵袋（集塵部）、１１…発光装置、１２…光出射部、１３…導光部材、１４…ＬＥＤ（半導体発光器）、１５…包囲部材、１６，１７…蓄光層（蓄光手段）、２２…ツェナーダイオード、２３…半波整流用ダイオード、２４，２５…抵抗、２６…直列回路、２７…平滑用コンデンサ、２８…電源回路、３７…塵捨て検知スイッチ、４１…集塵カップ（集塵部）、４２…吸塵ホース、４３…延長管、４５…吸込み口体、４６…投光器（発光装置）
【図１】
2013066619.tif 000003
【図２】
2013066619.tif 000004
【図３】
2013066619.tif 000005
【図４】
2013066619.tif 000006
【図５】
2013066619.tif 000007
【図６】
2013066619.tif 000008
【図７】
2013066619.tif 000009